(57)【特許請求の範囲】
【請求項１】
光源を点灯させる点灯回路と、
前記点灯回路の通電時間を計時する計時手段と、
前記通電時間が照明装置の第１の設定時間から第２の設定時間までの間で所定に決定される第３の設定時間に到達した時に前記点灯回路の点灯動作を停止させる制御手段と、
を備えた照明装置であって、
前記制御手段は、前記第１の設定時間として、前記照明装置の公称寿命時間を有し、前記第２の設定時間として、前記点灯回路を構成する電子部品の寿命時間を有し、
前記点灯回路の入力電圧を検出する電圧検出手段を更に備え、
前記制御手段は、前記電圧検出手段による入力電圧検出結果に基づき、前記入力電圧が大きくなるに従って前記第２の設定時間を長く設定する照明装置。
【請求項２】
前記点灯回路の周囲温度を検出する温度検出手段を備え、
前記制御手段は、前記温度検出手段による温度検出結果に基づき、前記第２の設定時間を調整する請求項１に記載の照明装置。
【請求項３】
前記光源の調光比を通常の点灯動作時と比べて低い値に切替える調光比切替手段を備え、
前記制御手段は、前記調光比切替手段により前記光源の調光比が通常の点灯動作時と比べて低い値に切替えられたときに前記第２の設定時間を長く設定する請求項１に記載の照明装置。
【請求項４】
前記点灯回路の昇圧チョッパ回路の出力電圧のリップル成分を検出する検出手段を備え、
前記制御手段は、前記検出手段から出力される値が所定値を超えているか否かで前記点灯回路の寿命を判定し、前記点灯回路の寿命を判定したときに、前記計時手段で計時された通電時間が前記第１の設定時間を超えていれば前記点灯回路の点灯動作を停止させる請求項１に記載の照明装置。
【請求項５】
請求項１乃至請求項４のいずれか一項に記載の照明装置を具備する照明器具。
【発明の詳細な説明】
【技術分野】
【０００１】
本発明は、光源を点灯させる照明装置及び該照明装置を備えた照明器具に関する。
【背景技術】
【０００２】
従来、初期照度補正機能を備えると共に、装置の寿命を報知する機能を備えた照明装置が案出されている（例えば、特許文献１、特許文献２参照）。特に、初期照度補正機能については、特許文献２に詳細が開示されている。
【０００３】
一般に、照明装置の寿命時間は、点灯回路を構成する電子部品の寿命時間の影響を受ける。寿命時間が短い部品としては電解コンデンサが挙げられる。電解コンデンサは、通電時間に応じて静電容量が減退することが一般に知られており、静電容量の減退に応じて電解コンデンサの両端電圧のリップル成分が大きくなる。リップル成分が大きくなると、点灯が不安定になったり、他の部品へストレスを与えるなど、照明装置として不安全な状態になる。そのため、照明装置の寿命時間を超えて点灯動作を続けることは好ましくない。
【先行技術文献】
【特許文献】
【０００４】
【特許文献１】特開２００４−２５９５３３号公報
【特許文献２】特開２００１−０１５２７６号公報
【発明の概要】
【発明が解決しようとする課題】
【０００５】
しかしながら、上述した従来技術では、種々の寿命時間の計時手段及び報知手段が示されているが、何れの組み合わせにおいても、照明装置の寿命到達時には、放電灯の点滅や調光比の低下や不点灯などで報知するものであって、例えばフロア内の多数の照明装置を同時に使用開始した場合、ほぼ同時期にフロア内の照明装置が前述の報知動作を行うことになる。そのため、寿命時間以上の点灯動作継続を防止するための措置ではあるのだが、ほぼ同時にフロア内の照明が不点灯になるなど、作業性の著しい低下といった実使用上の問題が生じる。
【０００６】
本発明は、係る事情に鑑みてなされたものであり、寿命時間を超えて点灯動作を行うことがなく、またフロア内で多数同時使用しても全てがほぼ同時期に不点灯になることがない照明装置及び照明器具を提供することを目的とする。
【課題を解決するための手段】
【０００７】
本発明の照明装置は、光源を点灯させる点灯回路と、前記点灯回路の通電時間を計時する計時手段と、前記通電時間が照明装置の第１の設定時間から第２の設定時間までの間で所定に決定される第３の設定時間に到達した時に前記点灯回路の点灯動作を停止させる制御手段と、を備えた照明装置であって、前記制御手段は、前記第１の設定時間として、前記照明装置の公称寿命時間を有し、前記第２の設定時間として、前記点灯回路を構成する電子部品の寿命時間を有し、前記点灯回路の入力電圧を検出する電圧検出手段を更に備え、前記制御手段は、前記電圧検出手段による入力電圧検出結果に基づき、前記入力電圧が大きくなるに従って前記第２の設定時間を長く設定する。
【０００８】
上記構成によれば、照明装置の寿命時間として第３の設定時間を有し、点灯回路の通電時間が第３の設定時間に到達した時に点灯動作を停止し、これ以降は点灯動作はできなくなる。第１の設定時間に照明装置の公称寿命時間を設定し、第２の設定時間に点灯回路を構成する電子部品の寿命によって決まる設計寿命時間を設定すれば、照明装置の公称寿命時間までの点灯動作は満足し、設計寿命時間を超えて点灯動作を続けることがないので、前述の不安全な状態に至ることがない。
また、入力電圧が異なる電圧値（例えば１００Ｖと２００Ｖ）でも点灯動作が可能であり、点灯回路への整流平滑回路の出力電圧を検出し、出力電圧が大きくなるに従って第２の設定時間を長く設定するようにしたので、寿命時間の設定を使用者が行うことなく当該装置自身が自動で行うことから、使用者に負担をかけることがない。また、照明装置が１００Ｖ用、２００Ｖ用と分かれている時でも制御回路は共通にすることができるので、部品の共用化などにより製造コストを低減できる。
【０００９】
また、第３の設定時間を照明装置によって異なるように決定すれば、例えばフロア内の多数の照明装置を同時に使用開始した場合でも、ほぼ同時期にフロア内の全ての照明装置が点灯動作を停止して光源が消灯するといったことがなく、ばらばらに消灯するので、フロア内での消灯による作業性の低下といった実使用上の問題を軽減できる。
【００１０】
上記構成において、前記点灯回路の周囲温度を検出する温度検出手段を備え、前記制御手段は、前記温度検出手段による温度検出結果に基づき、前記第２の設定時間を調整する。
【００１１】
上記構成によれば、点灯回路の周辺の周囲温度を検出して温度平均値を算出し、算出した温度平均値が低いほど第２の設定時間を長く設定するようにしたので、点灯回路の周囲温度の違いによる照明装置の寿命の変化に対して、第２の設定時間の調整を使用者が行う必要がない。すなわち、照明装置の寿命時間の設定を使用者が行うことなく当該装置自身が自動で行うので、使用者に負担をかけることがない。
【００１４】
上記構成において、前記光源の調光比を通常の点灯動作時と比べて低い値に切替える調光比切替手段を備え、前記制御手段は、前記調光比切替手段により前記光源の調光比が通常の点灯動作時と比べて低い値に切替えられたときに前記第２の設定時間を長く設定する。
【００１５】
上記構成によれば、通常の点灯動作時と比べて調光比を低くするときには第２の設定時間を長く設定するので、調光比の切替え時に使用者が装置の寿命時間の設定を行うことなく当該装置自身が自動で行うので、使用者に負担をかけることがない。
【００１６】
上記構成において、前記点灯回路の昇圧チョッパ回路の出力電圧のリップル成分を検出する検出手段を備え、前記制御手段は、前記検出手段から出力される値が所定値を超えているか否かで前記点灯回路の寿命を判定し、前記点灯回路の寿命を判定したときに、前記計時手段で計時された通電時間が前記第１の設定時間を超えていれば前記点灯回路の点灯動作を停止させる。
【００１７】
上記構成によれば、検出手段が点灯回路の昇圧チョッパ回路の出力電圧のリップル成分を検出し、制御手段が検出手段から出力される値が所定値を超えているか否かで点灯回路の寿命を判定し、点灯回路の寿命を判定したときに、通電時間が第１の設定時間に到達していなければ点灯動作は停止しないので、必ず第１の設定時間までの点灯動作を満足することができる。
【００１８】
本発明の照明器具は、上記いずれかに記載の照明装置を備える。
【００１９】
上記構成によれば、前述の効果が得られる照明器具を提供することができる。
【発明の効果】
【００２０】
本発明は、寿命時間を超えて点灯動作を行うことがなく、またフロア内で多数同時使用しても全てがほぼ同時期に不点灯になることがない照明装置及び照明器具を提供できる。
【図面の簡単な説明】
【００２１】
【図１】本発明の実施の形態１に係る照明装置の概略構成を示すブロック図
【図２】図１の照明装置に設定される第１の設定時間、第２の設定時間及び第３の設定時間の大小関係を示す図
【図３】本発明の実施の形態２に係る照明装置の概略構成を示す回路ブロック図
【図４】図３の照明装置における第２の設定時間及び第３の設定時間それぞれの設定方法を説明するための図
【図５】本発明の実施の形態３に係る照明装置の概略構成を示すブロック図
【図６】本発明の実施の形態４に係る照明装置の概略構成を示すブロック図
【図７】本発明の実施の形態５に係る照明装置の概略構成を示すブロック図
【図８】本発明の実施の形態１〜５のそれぞれに係る照明装置の昇圧チョッパ回路の概略構成を示す回路図
【図９】本発明の実施の形態１〜５のそれぞれに係る照明装置の昇圧チョッパ回路の出力電圧のリップル成分を示す図
【図１０】図７の照明装置における設定時間とリップル電圧の関係を示す図
【図１１】本発明の実施の形態５に係る照明装置の寿命検出回路によって検出される昇圧チョッパ回路の出力電圧の電圧低下を示す図
【図１２】本発明の実施の形態６に係る照明装置の寿命検出回路によって検出される昇圧チョッパ回路の出力電圧の電圧低下を示す図
【図１３】本発明の実施の形態７に係る照明器具の外観を示す図
【発明を実施するための形態】
【００２２】
以下、本発明を実施するための好適な実施の形態について、図面を参照して詳細に説明する。
【００２３】
（実施の形態１）
図１は、本発明の実施の形態１に係る照明装置の概略構成を示すブロック図である。同図において、本実施の形態の照明装置１は、整流平滑回路２１、昇圧チョッパ回路２２、インバータ回路２３から構成される点灯回路２と、駆動回路３と、制御回路４とを有して構成されている。インバータ回路２３は、電界効果トランジスタＱ１，Ｑ２を用いてハーフブリッジ形に形成された回路で構成されており、電界効果トランジスタＱ１，Ｑ２のそれぞれのゲートに接続して、電界効果トランジスタＱ１，Ｑ２を交互にスイッチング動作させることで、所定の周波数の電圧を出力する。制御回路４は、点灯回路２の通電時間を計時するタイマ（計時手段）４１と、累積点灯時間を記憶するための記憶部４２と、初期照度補正制御等を行う制御部（制御手段）４３とを有して構成されている。
【００２４】
点灯回路２には商用電源（交流電圧）Ｖが入力される。整流平滑回路２１は、商用電源Ｖの交流電圧を整流平滑して直流電圧に変換する。昇圧チョッパ回路２２は、整流平滑回路２１で変換された直流電圧を昇圧する。そして、昇圧した直流電圧はインバータ回路２３によって高周波電圧に変換される。インバータ回路２３のハーフブリッジ回路の出力は、限流及び共振用のインダクタＬ、直流成分カット用のコンデンサＣ１、始動及び共振用コンデンサＣ２により構成される共振回路５によって、接続される光源に交流電力を供給する。ここでは、光源として蛍光灯ＦＬを使用し、蛍光灯ＦＬのフィラメントＦ１，Ｆ２間に交流電力を供給する。
【００２５】
駆動回路３は、制御回路４によって、蛍光灯ＦＬの“予熱時”、“始動時”、“点灯時”にそれぞれ所定の周波数で電界効果トランジスタＱ１，Ｑ２を交互にスイッチング動作させ、共振回路５により決まる所定の電力を供給する。制御回路４において、タイマ４１は、制御部４３が駆動回路３にインバータ回路２３のスイッチング動作するよう作用している時間を計時する。タイマ４１が計時した時間は記憶部４２に随時記憶される。タイマ４１は、点灯動作開始時に記憶部４２に記憶されている時間を読み出し、その値から計時を再開することで時間を累積して計時する。
【００２６】
制御部４３は、累積計時した通電時間を記憶部４２から適宜読み出す。制御部４３には、第１の設定時間、第２の設定時間、第３の設定時間がそれぞれ設定される。図２は各設定時間の関係を示す図であり、各設定時間の大小関係は、第１の設定時間＜第３の設定時間＜第２の設定時間となっている。第１の設定時間には、照明装置１の公称寿命時間が設定される。第２の設定時間には、点灯回路２を構成する電子部品の寿命時間が設定される。この場合、電子部品の寿命時間は公称寿命時間よりも長くなるように点灯回路２を構成する電子部品を選定する必要がある。第３の設定時間には、下式により算出される時間が設定される。
【００２７】
第３の設定時間＝第１の設定時間＋（第２の設定時間−第１の設定時間）×Ｃ
ここで、上式における“Ｃ”は０から１までの値を取る定数である。ただし、Ｃは固有値であっても、所定の方法によって決定される値であってもよい。例えば照明装置１台毎に固有の製造番号を用いて下式より算出する。
Ｃ＝（製造番号／５０）の剰余／５０
この場合、第３の設定時間は５０通りの値を取ることになる。また、Ｃは、乱数表を用いて無作為に決定するものであってもよい。
【００２８】
タイマ４１で計時していた通電時間が第３の設定時間に到達すると、制御部４３は駆動回路３にインバータ回路２３のスイッチング動作を止めるよう制御する。これにより、蛍光灯ＦＬへの電力供給が停止し、蛍光灯ＦＬは消灯する。このときタイマ４１の計時も停止し、この時の時間を記憶部４２に記憶する。制御部４３は、点灯動作開始時に記憶部４２に記憶されている時間を読み出すことから、以降、駆動回路３にインバータ回路２３のスイッチング動作を開始するよう作用することはない。したがって、照明装置１は、通電時間が第３の設定時間に到達した以降、点灯動作を開始することはない。
【００２９】
このように本実施の形態の照明装置１によれば、照明装置１の寿命時間として第３の設定時間を設け、点灯回路２の通電時間が第３の設定時間に到達した時に点灯動作を停止し、これ以降は点灯動作をできなくする。第１の設定時間に照明装置１の公称寿命時間を設定し、第２の設定時間に点灯回路２を構成する電子部品の寿命によって決まる設計寿命時間を設定することで、照明装置１の公称寿命時間までの点灯動作は満足し、設計寿命時間を超えて点灯動作を続けることがないので、照明装置として不安全な状態に至ることがない。
【００３０】
また、第３の設定時間を照明装置１台毎に異なるように決定すれば、例えばフロア内の多数の照明装置１を同時に使用開始した場合でも、ほぼ同時期にフロア内の全ての照明装置１が点灯動作を停止して光源ＦＬが消灯することはなくばらばらに消灯するので、フロア内での消灯による作業性の低下といった実使用上の問題を軽減できる。
【００３１】
なお、制御回路４をマイクロコンピュータで代用することで、装置の構成を簡単にすることができる。マイクロコンピュータには、タイマ、ＰＷＭ信号の出力機能が具備されているものが多く、タイマ４１、制御部４３の役割を果たすことができる。さらに、最近の製品では、フラッシュメモリを用いた製品もあり、これを利用して記憶部４２の役割を果たすこともできる。
【００３２】
（実施の形態２）
図３は、本発明の実施の形態２に係る照明装置の概略構成を示すブロック図である。同図において前述した図１と同一符号を付した構成要素については実施の形態１と同様であるので、説明は省略する。図１との違いは、本実施の形態の照明装置１０は、点灯回路２周辺の周囲温度を検出する温度検出部（温度検出手段）６を有している点にある。制御回路４の制御部４３は温度検出部６から点灯回路２周辺の周囲温度を知る。
【００３３】
ここで、従来技術で説明したように、照明装置の寿命時間に影響を与える点灯回路の構成部品である電解コンデンサの寿命時間は所定の計算式によって求められるが、算出にあたっては当該部品の周囲温度が影響する。温度が高いほど電解コンデンサの寿命時間は短くなる。点灯回路の周囲温度が高ければ構成部品である電解コンデンサの周囲温度も当然高くなるので、電解コンデンサの寿命時間は短くなる。したがって、照明装置の寿命時間も短くなる。逆に、点灯回路の周囲温度が低ければ照明装置の寿命時間を長く設定することができるので経済的である。本実施の形態の照明装置１０は、点灯回路２周辺の周囲温度に基づいて第２の設定時間を調整する機能を有している。
【００３４】
制御部４３は、駆動回路３がインバータ回路２３にスイッチング動作をさせるようにしてから１時間経過後に温度検出部６から温度を取得する。ここで、１時間経過後としたのは、照明装置１０内の温度が上昇した後に安定するまでの時間を考慮した設定であり、必ずしも１時間に限定されるものではない。制御部４３は温度を取得するたびに累計の取得回数分の平均を算出する。この算出を行うために、記憶部４２に温度平均値と温度取得回数を記憶する。記憶部４２に温度平均値と温度取得回数を記憶させた後、記憶部４２からそれらの値を読み出し、今回の温度取得値を下式により算出する。そして、今回の温度取得値と１加算した温度取得回数を記憶部４２に記憶する。
【００３５】
今回の温度平均値＝（今回の温度取得値＋（温度平均値×温度取得回数））／（温度取得回数＋１）
【００３６】
制御部４３は、温度平均値が低いほど第２の設定時間を長く設定する。例えば下式のように、第２の設定時間を決定する。ただし、Ａ、Ｂは固有の定数である。
第２の設定時間＝Ａ／平均温度＋Ｂ
【００３７】
前述した実施の形態１のように、第３の設定時間を下式により算出するならば、Ｃは固有値である場合、第２の設定時間が長くなれば、第３の設定時間も長くすることができる。図４に示す各設定時間の関係において、温度平均値が高い場合が（Ａ）で、低い場合が（Ｂ）である。
【００３８】
第３の設定時間＝第１の設定時間＋（第２の設定時間−第１の設定時間）×Ｃ
また、実施の形態１に記したようなＣが無作為の値をとる場合であれば、図４に示す各設定時間の関係において、（Ａ）で第３の設定時間が取り得る範囲と（Ｂ）のそれとは重なる部分があるので、（Ａ）の方が第３の設定時間が長くなる場合もあるが、（Ｂ）の方が第３の設定時間が長くなる数の方が多い。
【００３９】
このように本実施の形態の照明装置１０によれば、点灯回路２周辺の周囲温度を検出して温度平均値を算出し、算出した温度平均値が低いほど第２の設定時間を長く設定するようにしたので、点灯回路２の周囲温度の違いによる照明装置の寿命の変化に対して、第２の設定時間の調整を使用者が行う必要がない。すなわち、照明装置１０の寿命時間の設定を使用者が行うことなく当該装置自身が自動で行うので、使用者に負担をかけることがない。
【００４０】
（実施の形態３）
図５は、本発明の実施の形態３に係る照明装置の概略構成を示すブロック図である。同図において、図１と同一符号を付した構成要素については実施の形態１と同様であるので、説明は省略する。図１との違いは、本実施の形態の照明装置１１は、点灯回路２の整流平滑回路２１の出力電圧を検出する通電電圧検出部７を有している点にある。制御回路４の制御部４３は、この通電電圧検出部７から通電電圧を知る。なお、通電電圧検出部７は、点灯回路２の入力電圧を検出する電圧検出手段に対応する。
【００４１】
ここで、照明装置は点灯回路の周囲温度が高いほど寿命時間は短くなる。したがって、光源への供給電力を同じにするならば、入力電圧が小さいほど入力電流が大きくなる。点灯回路の構成部品には発熱部品も含まれており、入力電流が大きくなるとその放熱量が大きくなって装置内部の温度、すなわち電解コンデンサの周囲温度も上昇する。したがって、入力電圧が高ければ、照明装置の寿命時間を長く設定することができるので、経済的である。
【００４２】
本実施の形態の照明装置１１は、入力電圧が１００Ｖでも２００Ｖでも点灯動作が可能であり、通電電圧が２００Ｖである時は１００Ｖである時よりも第２の設定時間を長く設定する。例えば、下式のように、第２の設定時間を決定する。
第２の設定時間＝２００Ｖでの第２の設定時間−{(２００Ｖでの第２の設定時間−１００Ｖでの第２の設定時間)×(１００Ｖでの累積通電時間／１００Ｖでの第２の設定時間)}
【００４３】
入力電圧１００Ｖでの第２の設定時間を５００００時間、２００Ｖにおけるそれを５５０００時間とし、入力電圧１００Ｖで使用した時間が累積３００００時間、残りの時間を２００Ｖで使用した場合には、上式により、第２の設定時間は５２０００時間となり、入力電圧１００Ｖで使用を続けた場合よりも、長くすることができる。
【００４４】
このように本実施の形態の照明装置１１によれば、入力電圧が１００Ｖでも２００Ｖでも点灯動作が可能であり、点灯回路２への整流平滑回路２１の出力電圧を検出し、出力電圧が大きくなるに従って第２の設定時間を長く設定するようにしたので、寿命時間の設定を使用者が行うことなく当該装置自身が自動で行うことから、使用者に負担をかけることがない。また、照明装置が１００Ｖ用、２００Ｖ用と分かれている時でも制御回路４は共通にすることができるので、部品の共用化などにより製造コストを低減できる。
【００４５】
（実施の形態４）
図６は、本発明の実施の形態４に係る照明装置の概略構成を示すブロック図である。同図において、図１と同一符号を付した構成要素については実施の形態１と同様であるので、説明は省略する。図１との違いは、本実施の形態の照明装置１２は、通常の点灯動作を行うモードＭＤ１と、これに比べて調光比を半分にするモードＭＤ２との切り替えを行える調光比切替器（調光比切替手段）８を有している点にある。
【００４６】
ここで、点灯回路の周囲温度が高いほど照明装置の寿命時間は短くなる。したがって、調光比が高いということは光源に供給する電力を大きくする必要があるので、同じ入力電圧であれば調光比が高いほど入力電流が大きくなる。前述のように、入力電流が大きくなると装置内部の温度、すなわち電解コンデンサの周囲温度も上昇する。したがって、光源の調光比が高ければ、照明装置の寿命時間を長く設定することができるので、経済的である。
【００４７】
制御部４３は、調光比切替器８の設定からモードＭＤ１かモードＭＤ２かを知り、モードＭＤ２ではモードＭＤ１よりも第２の設定時間を長く設定する。例えば、下式のように第２の設定時間を決定する。
【００４８】
第２の設定時間＝モードＭＤ２での第２の設定時間−{(モードＭＤ２の第２の設定時間−モードＭＤ１での第２の設定時間)×(モードＭＤ１での累積通電時間／モードＭＤ１での第２の設定時間)}
【００４９】
モードＭＤ１での第２の設定時間を５００００時間、モードＭＤ２でのそれを６００００時間と設定した時に、モードＭＤ１で使用した時間が累積４００００時間、残りの時間をモードＭＤ２で使用した場合には、上式により、第２の設定時間は５２０００時間となり、モードＭＤ１で使用を続けた場合よりも、長くすることができる。
【００５０】
このように本実施の形態の照明装置１２によれば、通常の点灯動作を行うモードＭＤ１と、これに比べて調光比を半分にするモードＭＤ２とを有し、モードＭＤ２のときには第２の設定時間を長く設定するので、モードＭＤ１及びＭＤ２のいずれを選択しても使用者が装置の寿命時間の設定を行うことなく、当該装置自身が自動で行うので、使用者に負担をかけることがない。
【００５１】
なお、本実施の形態とは異なり、照明装置１２がモードごとに分かれている場合でも、制御回路４を共通にすることができるので、部品の共用化などにより製造コストを低減できる。
【００５２】
（実施の形態５）
図７は、本発明の実施の形態５に係る照明装置の概略構成を示すブロック図である。同図において、図１と同一符号を付した構成要素については実施の形態１と同様であるので、説明は省略する。図１との違いは、本実施の形態の照明装置１３は、点灯回路２の寿命を検出するための検出回路（検出手段）９を有している点にある。
【００５３】
ここで、点灯回路２の通電時間が所定の設定時間に到達した後、検出回路９によって点灯回路の寿命を検出した時に点灯動作を停止し、これ以降は点灯動作はできなくなるが、前記設定時間に照明装置の公称寿命時間を設定すれば、照明装置の公称寿命時間までの点灯動作は満足し、検出回路９によって点灯回路２の寿命を検出するまで点灯動作を続けることができるので、不安全な状態に至ることを回避できる。
【００５４】
制御部４３は、検出回路９の検出結果から点灯回路２を構成する特定の電子部品が寿命に至ったことを知ることができる。昇圧チョッパ回路２２は、図８に示すような回路であり、チョッパ制御回路８１からＦＥＴであるスイッチング素子ＱのＯＮ／ＯＦＦを繰り返すことで、負荷の容量、入力電圧の違いによらず、電解コンデンサであるＣ１の両端に所定に昇圧、平滑された直流電圧を生じる。電解コンデンサＣ１は通電時間に応じて静電容量が減退することが一般に知られているが、静電容量の減退に応じて電解コンデンサＣ１の両端電圧のリップル成分が大きくなる。静電容量の減退が進めば点灯が不安定になったり、他の部品へストレスを与えるなど、照明装置として不安全な状態になることが考えられる。
【００５５】
検出回路９は、昇圧チョッパ回路２２の出力電圧のリップル成分（図９参照）を検出し、その値を制御部４３へ出力する。なお、リップル成分の検出はリップルの下限値のみを検出する方法でもよいし、上限と下限を検出してその電圧幅を求める方法でもよい。後者の方が精度がよい。制御部４３は、検出回路９から出力される値が所定値を超えているか否かで点灯回路２の寿命を判定する。
【００５６】
前述した実施の形態１と同様に、タイマ４１は、制御部４３が駆動回路３にインバータ回路２３のスイッチング動作するよう作用している時間を計時する。タイマ４１が計時した時間は記憶部４２に随時記憶される。タイマ４１は、点灯動作開始時に記憶部４２に記憶されている時間を読み出し、その値から計時を再開することで時間を累積して計時する。制御部４３は、累積計時した通電時間を記憶部４２から適宜読み出す。制御部４３に設定される設定時間には照明装置１３の公称寿命時間を設定する。
【００５７】
タイマ４１で計時していた通電時間が第１の設定時間に到達すると、制御部４３は通電時間を記憶部４２に記憶する。同時に検出回路９の出力の監視を開始し、リップル電圧が所定のしきい値以上になれば、駆動回路３にインバータ回路２３のスイッチング動作を止めるよう制御する。これにより、蛍光灯ＦＬへの電力供給は停止し、蛍光灯ＦＬは消灯する。制御部４３は、点灯動作開始時に記憶部４２に記憶されている時間を読み出すことから、以降、毎回、検出回路９の出力を監視することになり、検出回路９から得たリップル電圧が所定のしきい値以上になれば、その度に点灯動作を停止することになる。
【００５８】
なお、検出回路９によるリップル電圧の検出の誤動作を防止するために、検出回数をカウントし、この回数が所定値になった時を寿命と判断してもよい。図１０に設定時間とリップル電圧の関係を示す。点灯動作を停止中は、検出回路９の出力の監視は行わない。上記ではタイマ４１で計時していた通電時間が第１の設定時間に到達すると、制御部４３は通電時間を記憶部４２に記憶していたが、これ以上点灯動作を行わない旨を記憶部４２に書き込むようにしてもよい。この場合であれば、点灯動作開始時に点灯動作を行わない旨を読み出せばよく、初めから点灯はしない。
【００５９】
このように本実施の形態の照明装置１３によれば、検出回路９が点灯回路２の昇圧チョッパ回路２２の出力電圧のリップル成分を検出し、制御部４３が検出回路９から出力される値が所定値を超えているか否かで点灯回路２の寿命を判定し、点灯回路２の寿命を判定したときに、通電時間が第１の設定時間に到達していなければ点灯動作は停止しないので、必ず第１の設定時間までの点灯動作を満足することができる。
【００６０】
（実施の形態６）
本発明の実施の形態６に係る照明装置１４は、前述した実施の形態５で示した検出回路９の検出動作が異なる場合の例であり、構成に関しては図７に示した実施の形態５と同じであるので、図７を援用し、説明は省略する。なお、昇圧チョッパ回路２２も実施の形態５と同じである。
【００６１】
検出回路９は、昇圧チョッパ回路２２の出力電圧の電圧低下（図１１参照）を検出し、その値を制御部４３へ出力する。制御部４３は、検出回路９から出力される値が所定のしきい値を下回っているか否かで点灯回路２の寿命を判定する。
【００６２】
ここで、蛍光灯ＦＬが消灯から点灯へ至る過程において、フィラメントを予熱し、放電を開始させるために高電圧を印加（始動）して、安定した点灯状態へ移行することは一般的に知られている。この始動時は無負荷状態であって、この状態での共振回路５では高電圧を発生させるような発振周波数でスイッチング動作を行うが、蛍光灯ＦＬが放電を開始して有負荷状態になると共振回路５が変わり、同じ発振周波数でも蛍光灯ＦＬにかかる電圧は低くなる。この時、蛍光灯ＦＬへの供給電力は小さく調光状態であるとする。ここからフル点灯状態へ移行する時、蛍光灯ＦＬの消費電力は一気に増大し、図１１に示すように、昇圧チョッパ回路２２の出力電圧が一時的に低下するが、制御回路４によって元の出力電圧に戻すよう制御が行われる。この電圧低下は、昇圧チョッパ回路２２の追従の遅れによるものであるが、電解コンデンサＣの容量が十分である時には小さく抑えられるものの、通電時間に応じて静電容量の減退が進むに従って、図１２に示すように大きくなる。制御部４３は、始動からフル点灯への移行時に、所定のしきい値を下回るまで昇圧チョッパ回路２２の出力電圧が低下した時に、点灯回路２の寿命を判定する。
【００６３】
実施の形態１と同様にタイマ４１は、制御部４３が駆動回路３にインバータ回路２３のスイッチング動作するよう作用している時間を計時する。タイマ４１が計時した時間は記憶部４２に随時記憶される。タイマ４１は、点灯動作開始時に記憶部４２に記憶されている時間を読み出し、その値から計時を再開することで時間を累積して計時する。制御部４３は、累積計時した通電時間を記憶部４２から適宜読み出す。制御部４３に設定される設定時間には照明装置の公称寿命時間を設定する。
【００６４】
タイマ４１で計時していた通電時間が第１の設定時間に到達すると、制御部４３は通電時間を記憶部４２に記憶する。同時に検出回路９の出力の監視を開始し、始動から点灯へ移行する時に昇圧チョッパ回路２２の出力電圧が所定のしきい値を下回ったことを検出すれば、駆動回路３にインバータ回路２３のスイッチング動作を止めるよう制御する。これにより、蛍光灯ＦＬへの電力供給は停止し、蛍光灯ＦＬは消灯する。制御部４３は、点灯動作開始時に、記憶部４２に記憶されている時間を読み出すことから、以降、毎回、検出回路９の出力を監視することになり、毎回始動から点灯への移行の度に点灯動作を停止することになる。検出回路９による昇圧チョッパ回路２２の出力電圧低下検出の誤動作を防止するために検出回数をカウントし、この回数が所定値になった時を寿命と判断してもよい。点灯動作を停止中は検出回路９の出力の監視は行わない。
【００６５】
なお、上記ではタイマ４１で計時していた通電時間が第１の設定時間に到達すると、制御部４３は通電時間を記憶部４２に記憶していたが、これ以上点灯動作を行わない旨を記憶部４２に書き込むようにしてもよい。この場合であれば、点灯動作開始時に点灯動作を行わない旨を読み出せばよく、初めから点灯はしない。
【００６６】
（実施の形態７）
本発明の実施の形態７に係る照明装置は、図１３に示す外観図のように、照明器具に具備される。図１３において、照明器具本体１００は、反射面を有するカバー１０１が配設され、その両端に一対のランプソケット１０２，１０３が設けられている。また、照明器具本体１００は、カバー１０１内に前述の実施の形態１の照明装置１を配設している。照明装置１の出力端子１ａ，１ｂはランプソケット１０２に、出力端子１ｃ，１ｄはランプソケット１０３に接続される。蛍光灯ＦＬはランプソケット１０２，１０３に装着することで、照明装置１の出力端子と蛍光灯ＦＬが接続される。
【００６７】
なお、照明装置は、実施の形態１の照明装置１の他に、実施の形態２〜実施の形態６の照明装置１０〜１４のいずれであっても勿論構わない。
【符号の説明】
【００６８】
１、１０〜１４  照明装置
１ａ，１ｂ，１ｃ，１ｄ  出力端子
２  点灯回路
３  駆動回路
４  制御回路
５  共振回路
６  温度検出部
７  通電電圧検出部
８  調光比切替器
９  検出回路
２１  整流平滑回路
２２  昇圧チョッパ回路
２３  インバータ回路
４１  タイマ
４２  記憶部
４３  制御部
８１  チョッパ制御回路
１００  照明器具本体
１０１  カバー
１０２，１０３  ランプソケット
【図１】
0005537105.tif 000002
【図２】
0005537105.tif 000003
【図３】
0005537105.tif 000004
【図４】
0005537105.tif 000005
【図５】
0005537105.tif 000006
【図６】
0005537105.tif 000007
【図７】
0005537105.tif 000008
【図８】
0005537105.tif 000009
【図９】
0005537105.tif 000010
【図１０】
0005537105.tif 000011
【図１１】
0005537105.tif 000012
【図１２】
0005537105.tif 000013
【図１３】
0005537105.tif 000014